(57)【要約】      （修正有）【課題】簡単な構造でバネによる付勢力の低下を招くことなく、バネの不用意な離脱を防止することができるチェストの引出ロック構造を提供する。【解決手段】引出の前壁面３２に凹部を設け、凹部に取っ手５２をスライド自在に支持する。凹部の下部にバネ支持部を設け、バネ支持部で板バネ６２の両端を支持する。取っ手５２に係合爪８１を突設し、係合爪８１がチェスト本体１１に係止されるように構成する。取っ手５２に突出部９１を設け、突出部９１に板バネ６２で付勢される被付勢部を設定する。突出部９１に、前壁面３２に対向して延在する対向部１０１を一体形成し、前壁面３２に設けられた板バネ６２を対向部１０１と前壁面３２間に保持する。【選択図】図６
0003118477.tif 000002
【実用新案登録請求の範囲】
【請求項１】
チェスト本体に収容される引出の前壁面に係合爪を備えた取っ手をスライド自在に設け、前記係合爪が前記チェスト本体と係合する係合方向へ前記取っ手を付勢手段で付勢して前記係合爪を前記チェスト本体に係合させ、前記引出の前記チェスト本体からの引き出しを防止するチェストの引出ロック構造において、
前記引出の前記前壁面に直線状の板バネを設けて前記付勢手段を構成したことを特徴とするチェストの引出ロック構造。
【請求項２】
チェスト本体に収容される引出の前壁面に係合爪を備えた取っ手をスライド自在に設け、前記係合爪が前記チェスト本体と係合する係合方向へ前記取っ手を付勢手段で付勢して前記係合爪を前記チェスト本体に係合させ、前記引出の前記チェスト本体からの引き出しを防止するチェストの引出ロック構造において、
前記引出の前記前壁面に板バネを設けて前記付勢手段を構成するとともに、前記取っ手に前記前壁面に対向する対向部を設け、該対向部と前記前壁面との間に前記板バネを配置したことを特徴とするチェストの引出ロック構造。
【請求項３】
前記板バネを直線状に形成したことを特徴とする請求項２記載のチェストの引出ロック構造。
【請求項４】
前記前壁面を、容器状の引出本体と別部材で構成したことを特徴とする請求項１、２又は３記載のチェストの引出ロック構造。
【請求項５】
前記前壁面に、前記板バネの両端を支持するバネ支持部を設け、前記取っ手を付勢する付勢部を前記板バネの略中央部に設定したことを特徴とする請求項１から４にいずれか記載のチェストの引出ロック構造。
【請求項６】
前記バネ支持部を、前記板バネの端部を支持する断面Ｌ字状のＬ字片と、該Ｌ字片との間に前記板バネを挟み込む挟持部とで構成したことを特徴とする請求項５記載のチェストの引出ロック構造。
【請求項７】
前記取っ手に、前記板バネへ向けて突出する突出部を設け、該突出部に前記板バネで付勢される被付勢部を設定したことを特徴とする請求項１から６にいずれか記載のチェストの引出ロック構造。
【考案の詳細な説明】
【技術分野】
【０００１】
本考案は、衣類や小物などを収容するチェストの引出ロック構造に関する。
【背景技術】
【０００２】
従来、衣類や小物などを収納する際には、チェストが用いられていた。
【０００３】
このチェストの引出には、引出時に操作される取っ手が設けられており、該取っ手は、上下にスライドできるように構成されている。該取っ手には、上方へ突出する係合爪が設けられており、当該取っ手は、前記係合爪が上方に突出する方向へコイルスプリングによって付勢されている。
【０００４】
これにより、前記取っ手が付勢された状態では、上方に突出した前記係合爪がチェスト本体に係合することによって、前記引出の不用意な引き出しを防止できるように構成されている。また、前記取っ手を下方にスライドして前記係合爪を後退させることによって、前記チェスト本体との係合状態を解除し、当該引出を引き出せるように構成されている。
【考案の開示】
【考案が解決しようとする課題】
【０００５】
しかしながら、このようなチェストの引出ロック構造にあっては、コイルスプリングの両端を係止する係止部を、引出と取っ手との両者に設ける必要があり、構成の複雑化を招いていた。
【０００６】
本考案は、このような従来の課題に鑑みてなされたものであり、構成の簡素化を図ることができるチェストの引出ロック構造を提供することを目的とするものである。
【課題を解決するための手段】
【０００７】
前記課題を解決するために本考案の請求項１のチェストの引出ロック構造にあっては、チェスト本体に収容される引出の前壁面に係合爪を備えた取っ手をスライド自在に設け、前記係合爪が前記チェスト本体と係合する係合方向へ前記取っ手を付勢手段で付勢して前記係合爪を前記チェスト本体に係合させ、前記引出の前記チェスト本体からの引き出しを防止するチェストの引出ロック構造において、前記引出の前記前壁面に直線状の板バネを設けて前記付勢手段を構成した。
【０００８】
すなわち、引出の前壁面にスライド自在に設けられた取っ手は、前記前壁面に設けられた直線状の板バネによって付勢される。
【０００９】
このため、前記取っ手をコイルスプリングによって付勢する場合と比較して、コイルスプリングの両端を係止する係止部を、前記引出と前記取っ手との両者に設ける必要がなくなり、構成の簡素化が図られる。
【００１０】
そして、本考案の請求項２のチェストの引出ロック構造にあっては、チェスト本体に収容される引出の前壁面に係合爪を備えた取っ手をスライド自在に設け、前記係合爪が前記チェスト本体と係合する係合方向へ前記取っ手を付勢手段で付勢して前記係合爪を前記チェスト本体に係合させ、前記引出の前記チェスト本体からの引き出しを防止するチェストの引出ロック構造において、前記引出の前記前壁面に板バネを設けて前記付勢手段を構成するとともに、前記取っ手に前記前壁面に対向する対向部を設け、該対向部と前記前壁面との間に前記板バネを配置した。
【００１１】
すなわち、取っ手を係合方向に付勢する付勢部材は、引出の前壁面に設けられた板バネによって構成されており、該板バネによって前記取っ手を付勢することができる。
【００１２】
このため、前記取っ手をコイルスプリングによって付勢する場合と比較して、コイルスプリングの両端を係止する係止部を、前記引出と前記取っ手との両者に設ける必要がなくなり、構成の簡素化が図られる。
【００１３】
そして、前記板バネは、前記取っ手に設けられた対向部と前記前壁面との間に前記板バネが配置されている。
【００１４】
このため、前記板バネの前記付勢方向への変形を許容しつつ、当該板バネの離脱が、前記前壁面と前記対向部とによって防止される。
【００１５】
また、請求項３のチェストの引出ロック構造においては、前記板バネを直線状に形成した。
【００１６】
これにより、板バネの成型コストが抑えられる。
【００１７】
さらに、請求項４のチェストの引出ロック構造では、前記前壁面を、容器状の引出本体と別部材で構成した。
【００１８】
これにより、前記取っ手や前記板バネを、引出本体に一体形成された前壁面に取り付ける場合と比較して、取付性が高められる。
【００１９】
また、請求項５のチェストの引出ロック構造では、前記前壁面に、前記板バネの両端を支持するバネ支持部を設け、前記取っ手を付勢する付勢部を前記板バネの略中央部に設定した。
【００２０】
すなわち、前記板バネは、その両端が前記前壁面に設けられたバネ支持部によって支持されており、この板バネの略中央部には、前記取っ手を付勢する付勢部が設定される。
【００２１】
このため、一端が支持された板バネの他端部で取っ手を付勢する場合と比較して、付勢力が高められる。
【００２２】
さらに、請求項６のチェストの引出ロック構造にあっては、前記バネ支持部を、前記板バネの端部を支持する断面Ｌ字状のＬ字片と、該Ｌ字片との間に前記板バネを挟み込む挟持部とで構成した。
【００２３】
これにより、前記Ｌ字片と前記挟持部との間に板バネを挟み込むことによって、当該板バネは支持される。
【００２４】
また、この支持状態において、板バネの長さ方向への不用意な抜けが防止される。
【００２５】
加えて、請求項７のチェストの引出ロック構造においては、前記取っ手に、前記板バネへ向けて突出する突出部を設け、該突出部に前記板バネで付勢される被付勢部を設定した。
【００２６】
これにより、前記取っ手から突出した突出部の被付勢部が板バネに当接した状態で、当該取っ手は、前記板バネによって付勢される。
【考案の効果】
【００２７】
以上説明したように、本考案の請求項１のチェストの引出ロック構造にあっては、引出の前壁面にスライド自在に設けられた取っ手を、前記前壁面に設けられた直線状の板バネによって付勢することができる。
【００２８】
このため、前記取っ手をコイルスプリングによって付勢する場合と比較して、コイルスプリングの両端を係止する係止部を、前記引出と前記取っ手との両者に設ける必要がなくなり、構成の簡素化を図ることができる。
【００２９】
そして、本考案の請求項２のチェストの引出ロック構造にあっては、取っ手を係合方向に付勢する付勢部材は、引出の前壁面に設けられた板バネによって構成されており、該板バネによって前記取っ手を付勢することができる。
【００３０】
このため、前記取っ手をコイルスプリングによって付勢する場合と比較して、コイルスプリングの両端を係止する係止部を、前記引出と前記取っ手との両者に設ける必要がなくなり、構成の簡素化を図ることができる。
【００３１】
また、前記取っ手を係合方向に付勢する付勢部材を、引出の前壁面に設けられた板バネで構成するとともに、前記取っ手に、前記前壁面に対向する対向部を設けることによって、前記板バネを、前記対向部と前記前壁面との間に配置した状態で保持することができる。これにより、前記板バネの前記付勢方向への変形自由度を確保しつつ、当該板バネを前記前壁面と前記対向部との間に保持することができる。
【００３２】
したがって、このような簡単な構造にて、前記板バネによる付勢力の低下を招くことなく、当該板バネの不用意な離脱を防止することができる。
【００３３】
また、請求項３のチェストの引出ロック構造においては、前記板バネを直線状に形成したため、板バネの成型コストを抑えることができる。
【００３４】
さらに、請求項４のチェストの引出ロック構造においては、前記前壁面を前記引出本体と別部材で構成したため、前記取っ手や前記板バネを前記前壁面に取り付けてから当該前壁面を前記引出本体に取り付けることができる。
【００３５】
よって、前記取っ手や前記板バネを、前記引出本体に一体形成された前壁面に取り付ける場合と比較して、取付作業性を向上することができる。
【００３６】
加えて、請求項５のチェストの引出ロック構造では、前記板バネの両端は前壁面に設けられたバネ支持部で支持されており、この板バネの略中央部に前記取っ手を付勢する付勢部が設定されている。
【００３７】
このため、一端が支持された板バネの他端部で取っ手を付勢する場合と比較して、付勢力を高めることができる。
【００３８】
また、請求項６のチェストの引出ロック構造にあっては、Ｌ字片と挟持部との間に板バネを挟み込むことによって、当該板バネの端部を支持することができる。
【００３９】
そして、この支持状態において、前記板バネの長さ方向への不用意な抜けを阻止することができる。
【００４０】
さらに、請求項７のチェストの引出ロック構造においては、前記取っ手に、前記板バネへ向けて突出する突出部を設け、該突出部に前記板バネで付勢される被付勢部を設定した。
【００４１】
このため、前記取っ手から突出した突出部の被付勢部を前記板バネに当接した状態で、当該取っ手を前記板バネで付勢することができる。
【考案を実施するための最良の形態】
【００４２】
以下、本考案の一実施の形態を図に従って説明する。図１は、本実施の形態にかかるチェストの引出ロック構造を備えたチェスト１を示す図であり、該チェスト１は、衣類や小物などを収納するものである。
【００４３】
このチェスト１は、フレームを形成するチェスト本体１１と、該チェスト本体１１に設けられた引出１２，１２とによって構成されている。
【００４４】
前記チェスト本体１１は、上下に連結されたフレーム構成部材２１，２１によって構成されており、各フレーム構成部材２１，２１は、底板部２２と該底板部２２に立設された図外の支柱部とによって構成されている。上段のフレーム構成部材２１の支柱部には、天板２３が設けられており、上下段のフレーム構成部材２１，２１間及び上段のフレーム構成部材２１と前記天板２３間に開口した引出収容部には、前記引出１２，１２が引き出し自在に収容されている。
【００４５】
前記引出１２は、矩形容器状の引出本体３１と（図６参照）、該引出本体３１の前面に取り付けられる前壁面３２とによって構成されており、該前壁面３２は、前記引出本体３１と別部材で構成されている。
【００４６】
前記前壁面３２には、図２に示すように、裏側に突出するフランジ４１が周縁に形成されており、該フランジ４１を前記引出本体３１の前面に外嵌できるように構成されている。このフランジ４１の上縁４２及び下縁４３には、内側へ向けて突出する固定爪４４，・・・が設けられており、この固定爪４４，・・・を前記引出本体３１前面に係止することによって、当該前壁面３２を前記引出本体３１に固定できるように構成されている。
【００４７】
また、前記前壁面３２の上縁部には、裏面側に後退したＵ字状の凹部５１が形成されており、該凹部５１には、図１に示したように、当該引出１２を出し入れする際に操作される取っ手５２がスライド自在に取り付けられている。前記凹部５１には、図２に示したように、上下に延在するスライドスリット５３，５３が形成されており、当該凹部５１によって形成された段差部５４の側面５５及び底面５５には、貫通穴５６，・・・が形成されている。
【００４８】
この凹部５１の下部には、対を成すバネ支持部６１，６１が設けられており（一方のみ図示）、該バネ支持部６１は、図３及び図７に示すように、前記凹部５１の底面５５に沿って配置された直線状の板バネ６２の両端を支持するように構成されている。これにより、前記前壁面３２の裏面には、前記板バネ６２が設けられており、当該板バネ６２の略中央部に設定された付勢部６３によって前記取っ手５２を上方である係合方向へ付勢する付勢手段が構成されている。
【００４９】
前記バネ支持部６１は、図３に示したように、前記板バネ６２の端部を支持する長片７１と短辺７２とからなる断面Ｌ字状のＬ字片７３と、該Ｌ字片７３の前記長片７１先端より上方へ向けて延出した低部７４と、該低部７４の上端に突設された円筒状の挟持部７５とによって構成されている。これにより、該挟持部７５と前記Ｌ字片７３の前記長片７１との間に前記板バネ６２の端部を挟み込めるように構成されており、この状態で、当該板バネ６２の長さ方向への不用意な抜けを前記短辺７２で防止できるように構成されている。
【００５０】
前記取っ手５２は、図４及び図５にも示すように、前記凹部５１に適合した形状に形成されており、当該取っ手５２の中央部には、係合爪８１が上方へ向けて突設されている。これにより、前記引出１２を前記チェスト本体１１に収容した状態において、図６にも示すように、前記係合爪８１が前記チェスト本体１１の前記天面２３のフランジ部８２又は前記フレーム構成部材２１の底板部２２のフランジ部８３に係止されるように構成されており、前記引出１２の前記チェスト本体１１からの不用意な引き出しを防止する引出ロック構造が構成されている。
【００５１】
また、前記取っ手部５２には、下方へ向けて突出するＵ字状の突出部９１が設けられており、該突出部９１は、当該取っ手５２を前記前壁面３２に取り付けた状態で、前記凹部５１に設けられた底面５５の前記貫通穴５６を挿通して、図７及び図８に示すように、前記板バネ６２に当接する長さ寸法に設定されている。
【００５２】
これにより、前記突出部９１の下端には、前記板バネ６２で付勢される被付勢部９２（図４参照）が設定されており、当該突出部９１が前記板バネ６２によって下方から付勢されることによって、上部に設けられた前記係合爪８１が前記チェスト本体１１と係合する係合方向へ付勢されている。
【００５３】
前記突出部９１の下端には、下方へ向けて延出するとともに前記前壁面３２に対向して延在する対向部１０１が一体形成されており、前記前壁面３２に設けられた前記板バネ６２を、図７及び図８（前記対向部１０１は破線で図示）に示したように、前記対向部１０１と前記前壁面３２に設けられた前記低部７４との間に保持されるように構成されている。
【００５４】
そして、前記取っ手５２には、図５及び図７並びに図８に示したように、前記前壁面３２の前記凹部５１に形成された縦長の前記スライドスリット５３，５３に挿入されるストッパ１１１，１１１が突設されており、該ストッパ１１１，１１１が前記スライドスリット５３，５３の挿入された状態で、当該取っ手５２の上下方向へのスライドを許容するとともに、当該取っ手５２の上方への抜けを防止できるように構成されている。
【００５５】
以上の構成にかかる本実施の形態において、前記取っ手５２を係合方向である上方に付勢する付勢部材が、前記引出１２の前壁面３２に設けられた板バネ６２によって構成されるとともに、前記取っ手５２に設けられた対向部１０１と前記前壁面３２との間に前記板バネ６２が配置されている。これにより、前記板バネ６２の前記付勢方向への変形自由度を確保しつつ、当該板バネ６２を前記前壁面３２と前記対向部１０１との間に保持することができる。
【００５６】
したがって、このような簡単な構造にて、前記板バネ６２による付勢力の低下を招くことなく、当該板バネ６２の不用意な離脱を防止することができる。
【００５７】
また、前記前壁面３２と前記引出本体３１と別部材で構成したため、前記取っ手５２や前記板バネ６２を前記前壁面３２に取り付けてから、当該前壁面３２を前記引出本体３１に取り付けることができる。
【００５８】
よって、前記取っ手５２や前記板バネ６２を、前記引出１２に一体形成された前壁面３２に取り付ける場合と比較して、取付作業性を向上することができる。
【００５９】
さらに、前記板バネ６２の両端は、前記前壁面３２に設けられたバネ支持部６１，６１で支持されており、この板バネ６２の略中央部に前記取っ手５２を付勢する付勢部６３が設定されている。
【００６０】
このため、一端が支持された板バネの他端部で取っ手５２を付勢する場合と比較して、付勢力を高めることができる。
【００６１】
そして、このバネ支持部６１，６１を構成するＬ字片７３と挟持部７５との間に前記板バネ６２を挟み込むだけで、当該板バネ６２の端部を支持することができる。
【００６２】
そして、この支持状態において、前記板バネ６２の長さ方向への不用意な抜けを阻止することができる。
【００６３】
さらに、前記取っ手５２に、前記板バネ６２へ向けて突出する突出部９１を設け、該突出部９１に前記板バネ６２で付勢される被付勢部９２を設定した。
【００６４】
このため、前記取っ手５２から突出した前記突出部９１の前記被付勢部９２を前記板バネ６２に当接した状態で、当該取っ手５２の中心を、前記板バネ６２で付勢することができる。
【図面の簡単な説明】
【００６５】
【図１】本考案の一実施の形態の正面を示す図である。
【図２】同実施の形態の前壁面を示す説明図である。
【図３】図２のＡ部拡大図である。
【図４】同実施の形態の取っ手を示す正面図である。
【図５】図２のＢ−Ｂ断面図である。
【図６】同実施の形態の動作を示す要部の断面図である。
【図７】同実施の形態の取っ手部分を示す説明図である。
【図８】同実施の形態の取っ手を下げた状態を示す説明図である。
【符号の説明】
【００６６】
１    チェスト
１１    チェスト本体
１２    引出
３１    引出本体
３２    前壁面
５２    取っ手
６１    バネ支持部
６２    板バネ
６３    付勢部
７３    Ｌ字片
７５    挟持部
８１    係合爪
９１    突出部
９２    被付勢部
１０１    対向部
【図１】
0003118477.tif 000003
【図２】
0003118477.tif 000004
【図３】
0003118477.tif 000005
【図４】
0003118477.tif 000006
【図５】
0003118477.tif 000007
【図６】
0003118477.tif 000008
【図７】
0003118477.tif 000009
【図８】
0003118477.tif 000010